(57)【特許請求の範囲】
【請求項１】
透明容器内に、装飾品と透明性を有する固化材料とが充填され、前記透明容器の開口部を透明な蓋体で閉塞してなる観賞用透明ブロックであって、
前記透明容器の開口部の開口縁よりも容器内側位置で前記開口縁に沿って周回するように形成され前記開口部の開口径を実質的に小さくするフランジ部が形成され、
前記蓋体は、前記フランジ部の上面全体および前記開口部の端面に接するように付勢され、前記フランジ部へ、透明な樹脂ネジで固定されるように付勢されている
ことを特徴とする観賞用透明ブロック。
【請求項２】
前記固化材料は、パラフィンワックスであることを特徴とする請求項１に記載の観賞用透明ブロック。
【発明の詳細な説明】
【技術分野】
【０００１】
本発明は、透明固化材料で装飾品を内部に封止して装飾用置物として用いることができる観賞用透明ブロックに関する。
【背景技術】
【０００２】
従来、透明なガラス容器内に、装飾用として植物の花などを透明パラフィンで封止した装飾用キャンドルが知られている。この他に、ドライフラワーなどの生試料の乾燥体をそのまま含むようにした石鹸などが知られている（例えば、特許文献１参照）。
【０００３】
最近では、本発明者が開発した観賞用透明ブロックが普及している。この観賞用透明ブロックは、装飾品の位置決めが容易であるという利点の他に、外観特性が高いという利点を備える。この観賞用透明ブロックは、アクリルなどの透明樹脂でなるボックスに、ドライフラワーなどの乾燥体をパラフィンワックスと共に収納し、ボックス開口部を透明な蓋で塞いで接着剤で固着したものである。
【先行技術文献】
【特許文献】
【０００４】
【特許文献１】特開２００４−２７７５号公報
【発明の概要】
【発明が解決しようとする課題】
【０００５】
近年では、上記の観賞用透明ブロックにおいてパラフィンワックスの熱膨張に対処できる閉塞構造の開発が望まれている。因みに、パラフィンは、その線膨張率が１１０であり、氷の線膨張率５０．７に比較して大きいものである。
【０００６】
そこで、本発明の目的とするところは、透明な固化材料を充填して装飾品を封入した場合に、ワックス形状の変形や熱膨張を許容して全体の変形を防止できる観賞用透明ブロックを提供することにある。
【課題を解決するための手段】
【０００７】
本発明の特徴は、透明容器内に、装飾品と透明性を有する固化材料とが充填され、透明容器の開口部を透明な蓋体で閉塞してなる観賞用透明ブロックであって、透明容器の開口部の開口縁よりも容器内側位置で前記開口縁に沿って周回するように形成され前記開口部の開口径を実質的に小さくするフランジ部が形成され、蓋体がフランジ部の上面全体および開口部の端面に接するように付勢されていることを要旨とする。
【０００８】
本発明では、フランジ部に蓋体を接合させた状態においてフランジ部と蓋体との接合距離（フランジ部の内側開口縁から外側縁部までの距離）が稼げるため、内部に充填された固化材料が熱膨張を起こしたときに、フランジ部と蓋体との接合界面に沿って固化材料を逃がすことができる。したがって、固化材料が熱膨張を起こしたときに、透明容器内の圧力が上がって透明容器が変形することを防止できる。
【０００９】
ここで、蓋体は、フランジ部へ透明な樹脂ネジで固定されるように付勢している。
【００１０】
本発明では、開口部を塞ぐ蓋体がフランジ部の上面全体に密接した状態で付勢されているため、固化材料が熱膨張した場合に、膨張して体積が増した分の固化材料を蓋体下面とフランジ部上面との間隙に収納することで内部圧力を逃がす作用がある。したがって、観賞用透明ブロックの外観を損ねることがない。なお、蓋体下面とフランジ部上面との間隙は、内部の固化材料の熱膨張で増える分に見合う程度の空間となるように設定されている。
【００１１】
ここで、蓋体は、接着剤ではなく、フランジ部へ透明性を有する樹脂ネジで固定されていること構成とすることで接合面に濁りが発生することを防止でき、観賞用透明ブロックとしての価値を高めることができる。
【００１２】
固化材料は、パラフィンワックスであることが加工性ならびに透明性などの点で好ましい。
【００１３】
なお、パラフィンは、非揮発性の精製した飽和炭化水素の混合物であり、各種のものを用いることができる。例えば、本発明で用いるパラフィンワックスとしては、組成物中の流動パラフィンを所定量含み、これらにデキストリン脂肪酸エステルや、安定性、透明性の観点から高級脂肪酸エステルであるミリスチン酸デキストリン、パルミチン酸デキストリン、ラウリン酸デキストリン、ステアリン酸デキストリン、オレイン酸デキストリン、ベヘニン酸デキストリン等が含まれていてもよい。
【００１４】
上記したデキストリン脂肪酸エステルの配合量は、２重量％〜７０重量％程度用いることが好ましい。
【００１５】
また、本発明の固化材料の組成物中に透明性を阻害しない程度に必要に応じて液状または固形の各種植物油、動物油、鉱物油、合成油、染料、香料、精油及びこれらの可溶化剤若しくは界面活性剤や消泡剤を加えることができる。例えば、植物油としてはオリーブ油、大豆油、椿油等、動物油としてはミンク油、卵黄油等、鉱物油としてはパラフィンワックス、マイクロクリスタリンワックス、ワセリン等、合成油としてはポリブテン、パルミチン酸２−エチルヘキシル等が使用できる。
【発明の効果】
【００１６】
本発明によれば、透明な固化材料を充填して装飾品を封入した場合に、固化材料の熱膨張に伴ってブロック自体の形状が変形しにくい観賞用透明ブロックを実現することができる。
【図面の簡単な説明】
【００１７】
【図１】本発明の実施の形態に係る観賞用透明ブロックの透明容器と蓋体を示す斜視図である。
【図２】本発明の実施の形態に係る観賞用透明ブロックの透明容器と蓋体を組み付けた状態を示す斜視図である。
【図３】図２のIII−III断面図である。
【図４】図３のIV−IV断面図である。
【図５】本発明の実施の形態に係る観賞用透明ブロックの斜視図である。
【図６】本発明の実施の形態に係る観賞用透明ブロックの断面図である。
【図７】本発明の実施の形態に係る観賞用透明ブロックの要部拡大断面図である。
【発明を実施するための形態】
【００１８】
以下、本発明の各実施の形態に係る観賞用透明ブロックの詳細を図面に基づいて説明する。
【００１９】
図５および図６に示すように、本発明に係る観賞用透明ブロック５０は、透明容器１０内に装飾品４０、４１を配置し、透明容器１０内にパラフィンワックス４２を充たして蓋体２０で封止したものである。
【００２０】
なお、本実施の形態では、固化材料としてパラフィンワックス４２を用いるが、他の透明性を有する固化材料を用いることも勿論可能である。パラフィンは、非揮発性の精製した飽和炭化水素の混合物であり、各種のものを用いることができる。例えば、本発明で用いるパラフィンワックスとしては、組成物中の流動パラフィンを所定量含み、これらにデキストリン脂肪酸エステルや、安定性、透明性の観点から高級脂肪酸エステルであるミリスチン酸デキストリン、パルミチン酸デキストリン、ラウリン酸デキストリン、ステアリン酸デキストリン、オレイン酸デキストリン、ベヘニン酸デキストリン等が含まれていてもよい。
【００２１】
上記したデキストリン脂肪酸エステルの配合量は、２重量％〜７０重量％程度用いることが好ましい。
【００２２】
また、本発明の固化材料の組成物中に透明性を阻害しない程度に必要に応じて液状または固形の各種植物油、動物油、鉱物油、合成油、染料、香料、精油及びこれらの可溶化剤若しくは界面活性剤や消泡剤を加えることができる。例えば、植物油としてはオリーブ油、大豆油、椿油等、動物油としてはミンク油、卵黄油等、鉱物油としてはパラフィンワックス、マイクロクリスタリンワックス、ワセリン等、合成油としてはポリブテン、パルミチン酸２−エチルヘキシル等が使用できる。
【００２３】
上述したように、パラフィンの線膨張率は１１０であり、氷が５０．７であるのに比べると大きい。このため、本実施の形態では、観賞用透明ブロック５０が置かれる環境により内部のパラフィンワックス４２が熱膨張して透明容器１０および蓋体２０の閉塞構造において熱膨張したパラフィンワックス４２を収容する空隙（蓋体とフランジ部との接合界面）を確保することにより、観賞用透明ブロック５０の外観形状が膨れて歪むことを防止できるようにしている。
【００２４】
本実施の形態に係る観賞用透明ブロック５０では、例えばアクリルでなる透明容器１０と、この透明容器１０に組み付けられる蓋体２０とを備える。
【００２５】
図１に示すように、透明容器１０は、直方体形状の容器本体１１と、この容器本体１１の開口部１１Ａの開口縁よりも容器内側位置で開口縁に沿って周回するように形成されフランジ部１２と、を備えている。
【００２６】
フランジ部１２は、開口部１１Ａの開口径を実質的に小さくしている。また、フランジ部１２は、図１に示すように、その幅Ｗが一定となるように矩形枠状に形成されている。図４に示すように、フランジ部１２を形成したことにより、開口部１１Ａの開口径が実質的に小さくなり、容器本体１１内部から蓋体２０にかかる総圧力を小さくすることができる。したがって、後述する樹脂ネジ３０に要求される固定強度を低く抑えることができる。
【００２７】
この枠状のフランジ部１２には、四隅並びに各側辺の中央部にネジ孔１２Ａがそれぞれ形成されている。
【００２８】
一方、蓋体２０は、図１〜図３に示すように、フランジ部１２の上面全体に当接する面２１と、容器本体１１の開口部１１Ａの端面を覆うように当接する面２２とを有した段状の構造となっている。すなわち、蓋体２０は、容器本体１１の上部の開口部１１Ａに組み付けた状態で、フランジ部１２と、開口部１１Ａの内側側壁と、開口部１１Ａの端面とに接合するように設定されている。
【００２９】
また、蓋体２０には、フランジ部１２の上面全体および開口部の端面に接した状態で、弾性変形可能な透明な樹脂ネジ３０で固定されている。したがって、蓋体２０には、樹脂ネジ３０を通すためのネジ孔２３が形成されている。なお、本実施の形態では、樹脂ネジ３０は、弾性変形可能としているが、蓋体２０とフランジ部１２との接合界面に実質的に間隙ができるものであれば、剛性を有する樹脂ネジ３０を用いてもよい。
【００３０】
以上、本実施の形態に係る観賞用透明ブロック５０の透明容器１０と蓋体２０とについて説明したが、この透明容器１０内に装飾品４０、４１ならびにパラフィンワックス４２を封止する方法およびこれによって作製された観賞用透明ブロック５０について説明する。
【００３１】
まず、透明容器１０内に、透明性を有する固化材料としてのパラフィンワックス４２を溶融した状態で所定量注ぎ入れる。本実施の形態では、パラフィンワックス４２を溶融させる段階から透明容器１０に注ぎ入れるまで、一切撹拌を行わずに、注ぎ口を透明容器１０に極力近づけて泡立たないように注ぐことで、気泡の発生を抑えることできる。なお、このようにパラフィンワックス４２を注ぐ際に、ヘラなどを利用することにより、さらに静かに注ぎ入れることが可能となる。
【００３２】
なお、本実施の形態では、パラフィンワックス４２を用いるが、ハイドロカーボンとポリマーを混ぜたものや、透明性を有する樹脂などの他の固化材料を用いることも可能である。
【００３３】
次に、透明容器１０を傾けて回すことにより、パラフィンワックス４２を透明容器１の内壁に沿って所定の厚さに付着させて、冷ますことにより、装飾品の位置決めを行う透明層（図示省略する）を形成する。
【００３４】
その後、図５および図６に示すように、花やガラス玉などの装飾品４０、４１などを図示しない透明層の上に適切な方向を向くように載置する。
【００３５】
次いで、図５および図６に示すように、溶融したパラフィンワックス４２を注いて冷まし、フランジ部１２に蓋体２０を組み付けて樹脂ネジ３０で固定すればよい。
【００３６】
上述の観賞用透明ブロック５０では、フランジ部１２に蓋体２０を接合させた状態においてフランジ部１２と蓋体２０との接合距離（フランジ部１２の内側開口縁から外側縁部までの距離）が稼げるため、内部に充填されたパラフィンワックス４２が熱膨張を起こしたときに、フランジ部１２と蓋体２０との接合界面に沿ってパラフィンワックス４２を逃がすことができる。したがって、パラフィンワックス４２が熱膨張を起こしたときに、透明容器１０内の圧力が上がって透明容器１０が変形することを防止できる。また、パラフィンワックス４２が熱膨張状態から熱収縮状態へ移行するときは、蓋体２０とフランジ部１２との界面に逃げたパラフィンワックス４２が再度透明容器１０内へ毛管作用にて戻ることも可能となる。
【００３７】
また、蓋体２０は、フランジ部１２へ透明な樹脂ネジ３０で固定されるように付勢しているため、パラフィンワックス４２が熱膨張して圧力が高まったときに、フランジ部１２と蓋体２０との界面に隙間を空けることが可能となる。
【００３８】
このように、本実施の形態では、開口部１１Ａを塞ぐ蓋体２０がフランジ部１２の上面全体に密接した状態で付勢されているため、パラフィンワックス４２が熱膨張した場合に、膨張して体積が増した分のパラフィンワックス４２を蓋体２０下面とフランジ部１２上面との間隙に収納することで内部圧力を逃がす作用がある（図７参照）。したがって、パラフィンワックス４２が熱膨張を起こしても観賞用透明ブロック５０の外観を損ねることがない。なお、蓋体２０下面とフランジ部１２上面との間隙は、内部のパラフィンワックス４２の熱膨張で増える分に見合う程度の空間となるように設定されていることは言うまでもない。
【００３９】
ここで、蓋体２０は、接着剤ではなく、フランジ部１２へ透明性を有する樹脂ネジ３０で固定されているため、接合面に接着剤による濁りや曇りが発生することを防止でき、観賞用透明ブロック５０としての価値を高めることができる。
【００４０】
（その他の実施の形態）
以上、各実施の形態について説明したが、本発明はこれらに限定されるものではなく、構成の要旨に付随する各種の設計変更が可能であることは云うまでもない。
【００４１】
例えば、上記実施の形態では、透明容器１を直方体形状としたが、この形状に限定されるものではなく、各種の形状とすることが可能である。また、樹脂ネジ３０の配置数も熱膨張によって増加する内部圧力などを加味して適宜変更であることは言うまでもない。
【符号の説明】
【００４２】
１０…透明容器
１１…容器本体１１
１１Ａ…開口部
１２…フランジ部
１２Ａ…ネジ孔
２０…蓋体
２３…ネジ孔
３０…樹脂ネジ
４０，４１…装飾品
５０…観賞用透明ブロック
【図１】
0005511402.tif 000002
【図２】
0005511402.tif 000003
【図３】
0005511402.tif 000004
【図４】
0005511402.tif 000005
【図５】
0005511402.tif 000006
【図６】
0005511402.tif 000007
【図７】
0005511402.tif 000008